(57)【要約】【課題】本発明は、ガード相関波形にピークが現れないような大きなＣＷ妨害が入った場合でも、受信が可能となる妨害除去方法及びその受信装置を提供する。【解決手段】本発明のＯＦＤＭ受信装置は、ＦＦＴ後の周波数領域で妨害を検知する妨害検出回路を有し、時間軸領域の信号の妨害周波数が存在する位置にノッチフィルタを適用する。このノッチフィルタはノッチの周波数を可変することができ、ＦＦＴ後の妨害周波数に応じて、ノッチの位置を可変する。また、前記妨害検出回路は、信号が平均電力より、所定値以上大きい場合に、妨害と判定する。また、ノッチフィルタの適用位置は、ＦＦＴ前のデータを分岐して、時間軸での同期処理をする分岐に適用し、ＦＦＴ入力される分岐には適用しない。また、ノッチフィルタの適用帯域幅は、妨害の大きさに応じて可変し、妨害が多数存在する場合に備えてノッチフィルタを２個以上直列に配置する。【選択図】図１
2006174218.tif 000002
【特許請求の範囲】
【請求項１】
ＯＦＤＭ（直交周波数分割多重）信号を受信するＯＦＤＭ受信装置であって、前記ＯＦＤＭ信号は、データ信号が伝送される有効期間と、前記有効期間後部の信号を前記有効期間の前部に複写したガード期間から構成され、
時間軸領域で、シンボル同期処理を行う受信装置であって、
前記ＯＦＤＭ信号をＦＦＴ処理するＦＦＴ回路と、ＦＦＴ後の周波数領域で妨害を検知する妨害検出回路と、前記時間軸領域の信号の妨害周波数が存在する位置に適用するノッチフィルタを有することを特徴とするＯＦＤＭ受信装置。
【請求項２】
前記ノッチフィルタは周波数可変ノッチフィルタであることを特徴とする請求項１記載のＯＦＤＭ受信装置。
【請求項３】
前記妨害検出回路は、信号が平均電力より、所定の電力以上大きい場合に、妨害と判定することを特徴とする請求項１または２に記載のＯＦＤＭ受信装置。
【請求項４】
前記ノッチフィルタは、ＦＦＴ前のデータを分岐して、時間軸での同期処理をする分岐に適用することを特徴とする請求項１または２に記載のＯＦＤＭ受信装置。
【請求項５】
前記ノッチフィルタの適用帯域幅を、妨害の大きさに応じて可変することを特徴とする請求項１または記載のＯＦＤＭ受信装置。
【請求項６】
前記ノッチフィルタが、２個以上直列に配置された多段ノッチフィルタであることを特徴とする請求項１または２に記載のＯＦＤＭ受信装置。
【請求項７】
ＯＦＤＭ（直交周波数分割多重）信号を受信するＯＦＤＭ受信装置であって、前記ＯＦＤＭ信号は、データ信号が伝送される有効期間と、前記有効期間後部の信号を前記有効期間の前部に複写したガード期間から構成され、
時間軸領域で、シンボル同期処理を行う受信装置であって、
前記ＯＦＤＭ信号をＦＦＴ処理するＦＦＴ処理手段と、ＦＦＴ後の周波数領域で妨害を検知する妨害検知手段を有し、前記時間軸領域の信号の妨害周波数が存在する位置に、適用するノッチフィルタを有することを特徴とするＯＦＤＭ受信方法。
【請求項８】
前記ノッチフィルタは周波数可変ノッチフィルタであることを特徴とする請求項７に記載のＯＦＤＭ受信方法。
【請求項９】
前記妨害検出手段は、信号が平均電力より、所定の電力以上大きい場合に、妨害と判定することを特徴とする請求項７または８に記載のＯＦＤＭ受信方法。
【請求項１０】
前記ノッチフィルタは、ＦＦＴ前のデータを分岐して、時間軸での同期処理をする分岐に適用することを特徴とする請求項７または８に記載のＯＦＤＭ受信方法。
【請求項１１】
前記ノッチフィルタの適用帯域幅を、妨害の大きさに応じて可変することを特徴とする請求項７または８に記載のＯＦＤＭ受信方法。
【請求項１２】
前記ノッチフィルタが、２個以上直列に配置された多段ノッチフィルタであることを特徴とする請求項７または８に記載のＯＦＤＭ受信方法。
【発明の詳細な説明】
【技術分野】
【０００１】
本発明は、直交周波数分割多重（ＯＦＤＭ）伝送方式によるデジタル放送に用いられる直交周波数分割多重信号復号方法及び回路に関し、特にＯＦＤＭ復調における受信性能を改善する技術に関する。
【背景技術】
【０００２】
欧米の地上デジタル放送に続き、日本でも地上デジタル放送が三大都市圏で開始された。日本および欧州の地上デジタル放送方式はＯＦＤＭ（直交周波数分割多重方式Ｏｒｔｈｏｇｏｎａｌ  Ｆｒｅｑｕｅｎｃｙ  Ｄｉｖｉｓｉｏｎ  Ｍｕｌｔｉｐｌｅｘ）方式を採用している。
【０００３】
ＯＦＤＭ伝送方式は、伝送データを複数キャリアに分散して伝送する方式である。単一キャリア伝送に比べシンボル期間長が長くなるため、マルチパス妨害強い方式として知られている。また、ＯＦＤＭ伝送方式は、一般に、ガード期間と呼ばれる冗長期間が、実際にデータが伝送される有効シンボル期間の前に設けられており、マルチパス遅延波の影響をさらに低減することが可能である。
【０００４】
ＯＦＤＭ受信装置における周波数誤差の検出方法として、前記ガード期間を利用する方法が知られている。以下に、このガード期間を利用した周波数誤差の検出方法について説明する。
【０００５】
図１３は、従来のＯＦＤＭ受信装置の構成を示すブロック図である。このＯＦＤＭ受信装置は、特許文献１に記載されている。図１３において、アンテナ３０１に受信されたＯＦＤＭ信号は、チューナ３０２に入力され、このチューナ３０２により所定チャンネルのＯＦＤＭ信号が選択され、ＩＦ（中間周波数）帯に変換される。チューナ３０２の出力は、Ａ／Ｄ変換器３０３に供給され、このＡ／Ｄ変換器３０３によりデジタル信号に変換される。
【０００６】
Ａ／Ｄ変換器３０３の出力は、ＩＱ復調回路３０４に供給される。ＩＱ復調回路３０４は直交検波を行い、Ａ／Ｄ変換器３０３の出力は準同期直交検波されて複素ベースバンド信号に変換される。
【０００７】
ＩＱ復調回路３０４から出力される複素ベースバンド信号は、ＦＦＴ回路３０５に供給される。ＦＦＴ回路３０５は、ＦＦＴ演算により前記複素ベースバンド信号を時間軸上のデータから周波数軸上のデータに変換する。ＦＦＴ回路３０５の出力は、等化回路３０６に供給され、等化回路３０６は、各キャリアのデータを復調する。等化回路３０６の出力は、誤り訂正回路３０７に供給され、誤り訂正回路３０７により誤り訂正の復号処理が行われる。
【０００８】
また、前記ＩＱ復調回路３０４から出力される信号は、分岐して相関検出回路３０９と有効期間遅延回路３０８に供給される。有効期間遅延回路３０８により遅延された信号は相関検出回路３０９に供給され、相関検出回路３０９は、有効シンボル期間後部の信号と、この複製であるガード期間の信号の相関を検出する。
【０００９】
次に、相関検出回路３０９における相関検出の動作について、図１４（ａ）〜図１４（ｄ）を用いて詳細に説明する。
【００１０】
ＩＱ復調回路３０４から出力される複素ベースバンド信号を図１４（ａ）に、有効期間遅延回路３０８から出力される有効期間遅延信号を図１４（ｂ）に示す。以下ＩＱ復調回路３０４から出力される複素ベースバンド信号を、ＩＱ復調信号と記す。図１４（ａ）に示すＩＱ復調信号の１シンボル期間は、ガード期間とデータを伝送する有効シンボル期間とで構成されている。ガード期間には、有効シンボル期間の後部の信号がコピーされている。したがって、ＩＱ復調信号と有効期間遅延信号との複素共役の相関を求めると、図１４（ｃ）に示すように、両者が一致した部分に大きな相関が現れる。なお、図は相関信号のＩ成分のみを示している。
【００１１】
さらに、図１４（ｃ）に示す相関信号をガード期間幅で移動平均すると、図１４（ｄ）に示すように、有効シンボル期間の先頭でピークとなる相関信号が得られる。受信したＯＦＤＭ信号に周波数誤差がない場合、ガード期間における相関信号のピークはＩ成分のみに現れ、Ｑ成分はほぼ０になる。この図１４（ｄ）に示す信号が、相関検出回路３０９の出力である。
【００１２】
前記相関検出回路３０９の出力はタイミング検出回路３１０に供給され、タイミング検出回路３１０によりシンボル切り出し位置が決定される。タイミング検出回路３１０の出力は、ＦＦＴ回路３０５に供給され、ＦＦＴ回路３０５は、このシンボル切り出し位置から、有効期間長分の信号を対してＦＦＴを行う。
【００１３】
また、相関検出回路３０９の出力は、ｔａｎ−１回路３１１に供給される。ｔａｎ−１回路３１１は、このガード期間における相関信号のＩ成分とＱ成分から位相角ｔａｎ−１（Ｑ／Ｉ）を求める。受信したＯＦＤＭ信号に周波数誤差がない場合、ＩＱ復調信号の有効シンボル期間後部の信号とガード期間の信号とは一致するため、図１４（ａ）〜図１４（ｄ）に示すように、相関信号の位相角は０になる。すなわち、ｔａｎ−１回路３１１の出力は、０となる。
【００１４】
受信したＯＦＤＭ信号に周波数誤差がある場合、前記ＩＱ復調信号の有効シンボル期間の後部における信号とガード期間の信号との間には、周波数誤差に応じた位相のずれが生じるため、相関信号の位相角の大きさは、周波数誤差に比例した値になる。したがって、ｔａｎ−１回路３１１の出力は、周波数誤差に比例した誤差信号となる。
【００１５】
前記ｔａｎ−１回路３１１から出力される誤差信号は、周波数制御回路３１２に供給される。周波数制御回路３１２は、供給された誤差信号にゲイン係数をかけて積分し、ＩＱ復調回路３０４の検波周波数を制御する制御信号を生成する。周波数制御回路３１２から出力される制御信号は、ＩＱ復調回路３０４に供給され、ＩＱ復調回路３０４は、制御信号に応じて、周波数同期がとれるように検波周波数を制御する。これにより、受信したＯＦＤＭ信号における周波数同期処理が行われる。以上が、ガード期間における相関信号を利用した周波数同期の方法である。
【００１６】
しかし、ＣＷ妨害などの妨害が存在する場合、相関検出回路３０９の出力は、妨害波が存在しない場合の相関信号と、妨害波による相関信号とが合成されたものとなる。このため、受信したＯＦＤＭ信号の周波数誤差が０の場合であっても、相関信号のＩ成分とＱ成分との位相角が０にならず、正しい周波数誤差を検出できなくなる。
【００１７】
このような妨害に対して、例えば特許文献２は、妨害波検出及び補正の動作を行っている。図１５は、ＯＦＤＭ受信装置の構成を示すブロック図である。図１６（ａ）〜図１６（ｅ）は、ＯＦＤＭ受信装置における妨害波検出及び補正の動作を示す図である。
【００１８】
相関検出回路３０９の出力は、分岐してオフセット検出回路３１３に供給される。このオフセット検出回路３１３の動作について、図１６（ｃ）〜図１６（ｆ）を用いて詳細に説明する。ＣＷ妨害などの妨害波が存在する場合、ＩＱ復調信号と有効期間遅延信号との相関信号は、妨害波が存在しない場合の相関成分に妨害波の相関成分が付加されて、例えば図１６（ｃ）に示すように、信号全体が“０”からの一定量だけずれた信号となる。すなわち、妨害波が存在しない場合の有効期間における相関信号は“０”となるが、妨害波が存在する場合、妨害波の大きさに応じた信号が相関信号の全体に付加され、図１６（ｃ）及び図１６（ｄ）に示すように、“０”から一定量だけずれた信号となる。このときのずれを、オフセットと呼ぶことにする。オフセット量は、妨害波によって生じるずれ量を示し、妨害波が存在しない場合と存在する場合の相関信号の差分をいう。
【００１９】
前記オフセット検出回路３１３は、タイミング検出回路３１０から供給される、図１６（ｅ）に示すようなタイミング信号に従って、相関信号のＩ成分及びＱ成分のそれぞれに対して、ガード期間以外（有効期間内）の所定期間Ｔにおける相関信号の平均値を求める。妨害が存在しない場合、前記所定期間Ｔにおける相関信号の平均値はほぼ０になることから、前記相関信号の平均値は、妨害波によって生じる相関信号のＩ成分及びＱ成分（オフセット量）のそれぞれを示す。前記オフセット検出回路２１の出力（図１６（ｆ）に示す信号）は、補正回路３１４に供給される。この補正回路３１４は、図１６（ｆ）に示す信号を用いてガード期間における相関信号のＩ成分及びＱ成分のそれぞれに対して、前記オフセット量を補正する。このオフセット量の補正では、ガード期間における相関信号のＩ成分から、図１６（ｆ）に示す信号のガード期間における振幅を、図１６（ｇ）に示す信号のタイミングで減算することにより、Ｉ成分から、妨害波によって生じるずれ量を取り除く。Ｑ成分に対しても同様の処理を行う。
【００２０】
以上の動作をシンボル単位で繰り返して、妨害波の影響を除去していた。また、特許文献３は、図１７において、ＦＦＴ部４０５の出力は、ＯＦＤＭ信号のキャリア毎の位相と振幅を示しており、等化回路４０６に供給される。この等化回路４０６は、入力されるＯＦＤＭ信号について、その変調方式に対応して同期検波による復調処理を行う。ここで、同期検波は、周波数方向に１／３、時間方向に１／４の割合で挿入されているスキャッタードパイロット信号を用いて、各キャリアの誤差信号を検出し、振幅等化及び位相等化を行うものである。
【００２１】
同期検波では、まず、受信されたＯＦＤＭ信号には、ＳＰが４シンボル周期で配置されているので、４シンボルのＳＰ信号により３キャリア間隔の基準信号が得られる。そこで、これらを周波数方向に補間することで全キャリアの基準信号を求める。復調した結果は、誤り訂正部４０７にて伝送中に生じた誤りが訂正された後、出力端子から出力される。
【００２２】
一方、ＦＦＴ部４０５の出力は妨害検出部４０８にも入力される。この妨害検出部４０８は、受信したパイロット信号の状態を判定することで、周波数選択性の妨害（スプリアスやマルチパスや同一チャンネル妨害）の影響を受けているキャリアを判定するもので、その判定結果は等化回路４０６や誤り訂正部４０７や同期再生部４０９に出力され、復調性能の改善に供される。
【００２３】
すなわち、等化回路４０６では、同期検波時にスキャッタードパイロット信号を用いて各キャリアの誤差信号を検出し、振幅等化及び位相等化を行っているため、妨害キャリア情報にて妨害の受けている周波数がスキャッタードパイロット信号の周波数と一致している場合には使用せず、妨害の影響を受けていないスキャッタードパイロット信号により補間した信号にて誤差信号を検出することで復調性能の改善を行う。また、誤り訂正部４０７では、妨害の影響を受けているキャリア情報にて消失訂正などの重み付け処理を行っている。
【特許文献１】特許第３０７４１０３号公報
【特許文献２】特開２００２−２９０３７１号公報
【特許文献３】特許第３３６３０８６号公報
【発明の開示】
【発明が解決しようとする課題】
【００２４】
しかしながら、特許文献２に記載の方法は、ガード相関波形が全体にあるオフセット分シフトした場合に、そのオフセットを補正する方法を開示しているのであり、ガード相関波形のピークが現れなくなるような、大きなＣＷ妨害が存在する場合についての開示はされていない。
【００２５】
また、特許文献３は、本発明で開示する方法と妨害検出位置は同じであるが、本発明の目的とは異なる。
【００２６】
本発明は、ガード相関波形にピークが現れないような大きなＣＷ妨害が入った場合でも、受信が可能となる妨害除去方法及びその受信装置を提供することを目的とする。
【課題を解決するための手段】
【００２７】
前記課題を解決するために、この発明に係るＯＦＤＭ受信装置は、データ信号が伝送される有効期間と、前記有効期間後部の信号を前記有効期間の前部に複写したガード期間から構成されるＯＦＤＭ信号を受信し、時間軸領域で、シンボル同期処理を行い、このＯＦＤＭ信号をＦＦＴ処理するＦＦＴ回路と、ＦＦＴ後の周波数領域で妨害を検知する妨害検出回路と、時間軸領域の信号の妨害周波数が存在する位置に適用するノッチフィルタを具備する。このノッチフィルタはノッチの周波数を可変することができ、前記妨害検出回路は、信号が平均電力より、所定の電力以上大きい場合に、妨害と判定することを特徴とする。
【００２８】
また、前記ノッチフィルタは、ＦＦＴ前のデータを分岐して、時間軸での同期処理をする分岐に適用することを特徴とする。
【００２９】
また、前記ノッチフィルタの適用帯域幅を、妨害の大きさに応じて可変することを特徴とする。
【００３０】
また、妨害が多数存在する場合に備えて、前記ノッチフィルタが、２個以上直列に配置された多段ノッチフィルタを具備することを特徴とする。
【発明の効果】
【００３１】
以上説明したように、本発明によれば、ＣＷ妨害が存在する位置にノッチフィルターを適用することにより、ＣＷ妨害を除去し、ＣＷ妨害を除去後の信号を用いてガード相関処理を行う。
【００３２】
そのため、本発明は、通常の処理では、ガード相関波形にピークが現れないような大きなＣＷ妨害が入った場合でも、受信が可能となる妨害除去方法及びその受信装置を提供することを目的とする。
【発明を実施するための最良の形態】
【００３３】
以下、図面を参照して本発明の実施の形態を詳細に説明する。
【００３４】
（実施の形態１）
図１は本発明の実施の形態１に係るブロック図である。アンテナ１００で受信された信号はチューナ１０１で所定のチャネルを選局し、Ａ／Ｄ変換器１０２でＡ／Ｄ変換される。その後、直交検波回路１０３で直交検波を行い、周波数シフタ１０４で周波数シフトを行い、周波数誤差を取り除く。ＦＦＴ回路１０５は時間軸領域の信号を周波数領域の信号に変換する。ＦＦＴ後の信号は、等化回路１０６で等化処理され、その後誤り訂正回路１０７で誤り訂正処理が行われる。
【００３５】
ＦＦＴ後の信号は、広帯域ＡＦＣ回路１０８でキャリア単位の周波数誤差を検出し、時間軸処理回路１０９に加えられる。
【００３６】
また、ＦＦＴ後の信号は分岐されて妨害検出回路１１０に入力され、妨害検出回路１１０はＣＷ妨害を検出する。妨害検出回路１１０の出力により可変ノッチフィルタのノッチが妨害存在位置に設定されるよう制御される。周波数シフタ１０４の出力を分岐した信号に、この可変ノッチフィルタを適用し、可変ノッチフィルタで妨害が除去された信号を用いて、時間軸処理回路で、シンボル同期、狭帯域ＡＦＣ、クロック再生を行う。なお、この時間軸処理回路の詳細を図２及び図３に示す。この部分は従来技術であるため、本明細書では詳述しない。
【００３７】
図４に妨害の検出について示す。ＣＷ妨害は、狭帯域で、パワーが極めて高い。従って、あるスレッショールドを設定し、このスレッショールド以上であれば、妨害であると判定し、その位置を検出する。
【００３８】
本実施の形態では、各キャリアの電力を求め、ＯＦＤＭの帯域を１０程度に分割し、その帯域内の電力の平均を求め、各分割した帯域の中で平均電力が突出している帯域に妨害が存在していると判断する。この妨害の検出は、例えば、平均レベルより２０ｄＢ以上突出した電力がある場合に、妨害が存在すると判断することができる。なお、その場合でも、有効に妨害が除去できていないと判定された場合は、帯域の分割の数を増やして、同様の判定を行う。また、妨害の検出レベルを２０ｄＢから、１０ｄＢというように下げて小さい妨害の検出を行うようにする。
【００３９】
なお、妨害が存在するために同期がきちんと取れない場合であっても、ＦＦＴ後の波形には妨害が存在する位置の近傍には大きな妨害が現れる。そのため、容易に妨害の位置を検出することができる。
【００４０】
また、このノッチフィルタを入れる位置は、時間軸領域での同期処理のための位置であるため、ノッチフィルタによる歪はデータ処理系には現れない。また、データ処理系でノッチフィルタを適用する位置を決定するため、ノッチフィルタ適用後も常に、妨害の位置を検出することができる。
【００４１】
次に、図６に一般的な直流阻止フィルタを示す。図７の様に、フィルタの入力で入力信号を回転させ、フィルタ処理後、逆に回転させることにより、等価的にノッチフィルタとなる。この回転数を変えることにより、ノッチを入れる周波数位置を制御することができる。また、この図７は変形すると、図５の様に簡略化することができる。本実施の形態では、図５のノッチフィルタを用いた。また、その特性を図５（ｂ）に示す。図５の回転演算子ｅｘｐ（ｊωｎｔ）は、ωｎはノッチの位置を示し、ωｎを変えることにより、ノッチの位置を制御することができる。その伝達関数は、以下の式で表される。
【００４２】
【数１】
2006174218.tif 000003
【００４３】
ノッチフィルタの形状はｋの値を変えることにより、変更可能である。
【００４４】
図８に、ｋの値を２種類変更した場合のフィルタの特性を示す。従って、同期が不安定な初期引き込み時には、ｋの値を大きくして、初期同期を行い、その後、ｋの値を小さくして、不要な成分のみを取り除くようにする。
【００４５】
また、同期が安定している場合でも、妨害信号の幅に応じて、ノッチフィルタの形状を変更する。
【００４６】
なお、ｋの値を大きくすると、全体の減衰のレベルが大きくなるので、図には通過帯域は０ｄＢとして正規化して示している。
【００４７】
（実施の形態２）
本実施の形態は、ＣＷ妨害が２つ存在する場合である。本実施の形態を図９に示す。実施の形態１と異なる点は、ＣＷ妨害２つを除去できる点である。具体的には、可変ノッチフィルタ１１３が加わった点である。妨害検出回路１１２も妨害を２つ検出する。検出については、図１０に示すように、実施の形態１と同様にキャリア毎にスレッショールドを設けて、パワーで検出する。
【００４８】
図１１に使用したノッチフィルターを示す。単独のノッチフィルタを直列に並べて構成される。図１２に二つのノッチフィルタの合成のフィルタ特性を示す。
【００４９】
なお、本実施の形態では、可変ノッチフィルタを２つ用いたが、妨害波が多数存在する場合は、可変ノッチフィルタを多段接続するだけでよい。
【００５０】
（実施の形態３）
本実施の形態を図１８に示す。本実施の形態は、実施の形態１において、妨害検出の位置を、ＦＦＴ回路１０５の後から、等化回路１０６の後にした例である。本実施の形態は比較的妨害が小さく、同期がとれるレベルの受信信号に対して適用できる。
【００５１】
本実施の形態では、妨害の検出は、同じキャリア位置では、４シンボル毎に伝送されるＳＰ信号の変動をモニターし、その変動が大きい部分について、妨害が存在するとして、可変ノッチフィルタを適用する。
【００５２】
（実施の形態４）
本実施の形態は、同一チャネル妨害が存在する場合の例である。サービスエリアを越えて、アナログの同一チャネル妨害が、デジタル放送の帯域に入ってくる場合がある。本実施の形態では、固定的に、映像キャリア位置および音声キャリア位置にノッチフィルタを設定した。本実施の形態では、実施の形態２において、ひとつのノッチフィルタの位置を映像キャリア位置に、もう１つのノッチフィルタを音声キャリア位置に固定的に設けた。
【００５３】
なお、アナログ放送は、送信局によって、オフセットが０或いは±１０ｋＨｚのいずれかに設定されているが、ノッチフィルタのノッチの幅が比較的広いため、オフセットが０であるとして、ＦＦＴ回路１０５の分岐後の信号に固定的に適用することができる。また、妨害検出回路を設けてノッチフィルタの適用をオン・オフすることもできる。
【産業上の利用可能性】
【００５４】
本発明にかかるＯＦＤＭ受信装置は、直交周波数分割多重（ＯＦＤＭ）伝送方式によるデジタル放送に用いられる直交周波数分割多重信号復号方法及び回路に関し、特にＯＦＤＭ復調における受信性能を改善する受信装置として有用である。
【図面の簡単な説明】
【００５５】
【図１】本発明の一実施の形態を示すブロック構成図
【図２】時間軸処理回路のひとつの形態を示すブロック構成図
【図３】時間軸処理回路のひとつの形態を示すブロック構成図
【図４】妨害の検出方法を説明する図
【図５】本発明の一実施の形態で使用するノッチフィルタの構成図
【図６】一般的な直流阻止フィルタを示す図
【図７】本発明の一実施の形態で使用するノッチフィルタの構成図
【図８】本発明の一実施の形態で使用するノッチフィルタの特性を示す図
【図９】本発明の一実施の形態の概念を示す図
【図１０】妨害の検出方法を説明する図
【図１１】本発明の一実施の形態で使用するノッチフィルタの構成図
【図１２】本発明の一実施の形態で使用するノッチフィルタの特性を示す図
【図１３】従来のＯＦＤＭ受信装置の構成を示すブロック構成図
【図１４】従来のＯＦＤＭ受信装置の動作を説明する図
【図１５】従来のＯＦＤＭ受信装置の構成を示すブロック構成図
【図１６】従来のＯＦＤＭ受信装置の動作を説明する図
【図１７】従来のＯＦＤＭ受信装置の構成を示すブロック構成図
【図１８】本発明の一実施の形態を示すブロック構成図
【符号の説明】
【００５６】
１００    アンテナ部
１０１    チューナ部
１０２    Ａ／Ｄ変換器
１０３    直交検波回路
１０４    乗算器
１０５    ＦＦＴ回路
１０６    等化回路
１０７    誤り訂正回路
１０８    広帯域ＡＦＣ
１０９    時間軸処理回路
１１０    妨害検出回路
１１１    可変ノッチフィルタ
１１２    妨害検出回路
１１３    可変ノッチフィルタ
１１４    妨害検出回路
１１５    多段ノッチフィルタ
３０１    アンテナ
３０２    チューナ
３０３    Ａ／Ｄ変換器
３０４    ＩＱ復調回路
３０５    ＦＦＴ回路
３０６    等化回路
３０７    誤り訂正回路
３０８    有効期間遅延回路
３０９    相関検出回路
３１０    タイミング検出回路
３１１    Ｔａｎ−１回路
３１２    周波数制御回路
３１３    オフセット検出回路
３１４    補正回路
【図１】
2006174218.tif 000004
【図２】
2006174218.tif 000005
【図３】
2006174218.tif 000006
【図４】
2006174218.tif 000007
【図５】
2006174218.tif 000008
【図６】
2006174218.tif 000009
【図７】
2006174218.tif 000010
【図８】
2006174218.tif 000011
【図９】
2006174218.tif 000012
【図１０】
2006174218.tif 000013
【図１１】
2006174218.tif 000014
【図１２】
2006174218.tif 000015
【図１３】
2006174218.tif 000016
【図１４】
2006174218.tif 000017
【図１５】
2006174218.tif 000018
【図１６】
2006174218.tif 000019
【図１７】
2006174218.tif 000020
【図１８】
2006174218.tif 000021